(57)【要約】【課題】印刷ジョブに基づいて印刷している印刷物の途中にカタログ等の別の装置で印刷された印刷物やＣＤ、ＤＶＤ、フィルムサンプル等の記録媒体を挿入する。【解決手段】印刷処理部２の制御部２８は、印刷ジョブＤに手差し挿入指令Ｄ１２が含まれている場合、挿入位置情報Ｄ１３を取得して、制御部２８は印刷実行部２１に挿入位置情報がＤ１３示す挿入位置まで印刷を実行させて、その挿入位置までの印刷物をスタックトレイ部３２に一時的に保持させた後、スタックトレイ開口部３９から記録媒体を手差し挿入することをユーザに促すように報知部（操作パネル２７）に報知させることで、印刷処理部２で印刷した印刷物の途中に記録媒体を挿入させることができる。【選択図】図１
2015101081.tif 000002
【特許請求の範囲】
【請求項１】
印刷ジョブに基づいて記録媒体に印刷を実行して印刷物を出力する印刷実行部と、
前記印刷実行部により印刷された印刷物を一時的に保持するスタックトレイ部と、
前記スタックトレイ部に保持されている印刷物に対して抜き取り及び手差しするためのスタックトレイ開口部と、
印刷ジョブに関する情報をユーザに報知する報知部と、
前記印刷実行部と前記報知部を制御する制御部と、を備え、
前記印刷ジョブは、前記印刷実行部により印刷されるページと前記ページ中の所定ページで前記スタックトレイ開口部から記録媒体を手差し挿入する手差し挿入指令とを含み
前記制御部は、
前記印刷ジョブに前記手差し挿入指令が含まれている場合、前記所定ページまで前記印刷実行部に印刷を実行して前記スタックトレイ部に保持させた後、前記スタックトレイ開口部から記録媒体を手差し挿入することを促すように前記報知部に報知させる
ことを特徴とする印刷装置。
【発明の詳細な説明】
【技術分野】
【０００１】
本発明は、自装置で印刷した印刷物の途中にカタログ等の別の印刷物、ＣＤ、ＤＶＤ、フィルムサンプル等の記録媒体を挿入可能な印刷装置に関する。
【背景技術】
【０００２】
印刷処理部の後段（下流）にくるみ製本等の後処理を実行する後処理部が接続された印刷装置がよく知られている。例えば、特許文献１に記載された印刷装置では、印刷処理部によって印刷された印刷物に対する後処理を後処理部によって実行させるインラインジョブと、印刷処理部による印刷を行わずに用紙に対する後処理を後処理部によって実行させるオフラインジョブと切り替えて実行する。
【先行技術文献】
【特許文献】
【０００３】
【特許文献１】特開２０１１−０３００５号公報
【発明の概要】
【発明が解決しようとする課題】
【０００４】
しかしながら、上述の特許文献１に記載の印刷装置では、インラインジョブとオフラインジョブと切り替えて実行できるものの、印刷ジョブに基づいて印刷している印刷物の途中にカタログ等の別の装置で印刷された印刷物やＣＤ、ＤＶＤ、フィルムサンプル等の記録媒体を挿入することはできないという問題があった。
【０００５】
本発明は、このような問題に鑑みてなされたもので、印刷ジョブに基づいて印刷している印刷物の途中にカタログ等の別の装置で印刷された印刷物やＣＤ、ＤＶＤ、フィルムサンプル等の記録媒体を挿入することができる印刷装置を提供することを目的とする。
【課題を解決するための手段】
【０００６】
上記目的を達成するため、本発明に係る印刷装置の特徴は、印刷ジョブに基づいて記録媒体に印刷を実行して印刷物を出力する印刷実行部と、前記印刷実行部により印刷された印刷物を一時的に保持するスタックトレイ部と、前記スタックトレイ部に保持されている印刷物に対して抜き取り及び手差しするためのスタックトレイ開口部と、印刷ジョブに関する情報をユーザに報知する報知部と、前記印刷実行部と前記報知部を制御する制御部と、を備え、前記印刷ジョブは、前記印刷実行部により印刷されるページと前記ページ中の所定ページで前記開口部から記録媒体を手差し挿入する手差し挿入指令とを含み、前記制御部は、前記印刷ジョブに前記手差し挿入指令が含まれている場合、前記所定ページまで前記印刷実行部に印刷を実行して前記スタックトレイ部に保持させた後、前記スタックトレイ開口部から記録媒体を手差し挿入することを促すように前記報知部に報知させることにある。
【発明の効果】
【０００７】
本発明に係る印刷装置の特徴によれば、印刷ジョブに手差し挿入指令が含まれている場合、手差し挿入指令が示すページまで印刷を実行させて印刷物をスタックトレイ部に一時的に保持させ、その後、スタックトレイ開口部から記録媒体を手差し挿入することを促すように報知部で報知する。
【０００８】
そのため、ユーザは報知部による記録媒体の手差し挿入を促す報知を確認することにより、印刷ジョブに基づいて印刷している印刷物の途中にカタログ等の別の装置で印刷された印刷物やＣＤ、ＤＶＤ、フィルムサンプル等の記録媒体を確実に挿入できる。
【図面の簡単な説明】
【０００９】
【図１】本発明に係る実施例の印刷装置の概略構成を示す構成図である。
【図２】本発明が適用される印刷装置の端末装置が送信する印刷ジョブの概略構成を示す図である。
【図３】本発明に係る実施例の印刷装置における印刷製本動作の処理手順を示すフローチャートである。
【図４】本発明に係る実施例の印刷装置の操作パネルに表示される確認メッセージの一例を示す図である。
【図５】本発明に係る実施例の印刷装置によって生成した製本印刷物の一例を示す図である。
【発明を実施するための形態】
【００１０】
以下、本発明に係る実施例の印刷装置１について説明する。なお、本発明に係る実施例では、後処理部としてくるみ製本を行う製本処理部３を備えた印刷装置１を例に挙げて説明する。
【００１１】
図１は、本発明に係る実施例の印刷装置１の概略構成を示す図である。
【００１２】
図１に示すように、本発明に係る実施例の印刷装置１は、端末装置１０に有線または無線ＬＡＮなどのネットワークを介して接続された印刷処理部２と、印刷処理部２において印刷処理の施された印刷用紙を用いてくるみ製本を行う製本処理部３とを備えている。
【００１３】
端末装置１０は、表紙と本文ページに印刷される画像データを含む印刷ジョブを生成し、その印刷ジョブを印刷装置１の印刷処理部２に送信する。
【００１４】
印刷処理部２は、印刷実行部２１と、給紙トレイ２２と、ストレート給紙台２３と、循環搬送路２４と、連絡搬送路２５と、反転部２６と、操作パネル２７と、制御部２８とを備えている。
【００１５】
印刷実行部２１は、端末装置１０から出力された印刷ジョブに含まれる本文ページや表紙の画像データに基づいて、印刷用紙に対してインクを吐出することによって印刷処理を施すもので、ブラック、シアン、マゼンダ、イエロー等の各色のインクを吐出する複数のライン型のインクヘッドを備える。
【００１６】
給紙トレイ２２は、本文ページ用の印刷用紙ＨＰが載置されるもので、第１給紙トレイ２２ａと第２給紙トレイ２２ｂと第３給紙トレイ２２ｃとを備えており、これらの給紙トレイに種々の用紙種類、用紙サイズの本文ページ用紙ＨＰが載置される。
【００１７】
ストレート給紙台２３は、本文ページ用紙ＨＰより厚手の表紙用紙ＦＰが載置される。そして、くるみ製本の印刷物が作成される際には、表紙用紙ＦＰと本文ページ用紙ＨＰとが、それぞれストレート給紙台２３と給紙トレイ２２とから給紙ローラ（図示省略）などによってピックアップされて給紙される。
【００１８】
循環搬送路２４は、ストレート給紙台２３から給紙された表紙用紙ＦＰと、給紙トレイ２２から給紙された本文ページ用紙ＨＰとを印刷実行部２１の上流側から下流側に向けて搬送する。具体的には、循環搬送路２４は、片面印刷の際には、印刷実行部２１において印刷処理の施された印刷用紙をそのまま連絡搬送路２５に受け渡す一方、両面印刷の際には、片面の印刷処理が終了した印刷用紙を反転部２６まで搬送し、反転部２６において表裏反転された片面印刷済印刷用紙を再び印刷実行部２１の上流側から下流側へ搬送し、その後、印刷実行部２１において再び印刷処理の施された両面印刷済印刷用紙を連絡搬送路２５に受け渡して、製本処理部３に送り出す。
【００１９】
操作パネル２７は、製本物の作成実行を指示するスタートボタンや、用紙サイズの選択など各種設定を行うと共に、各種情報や、エラーメッセージ、さらには後述するユーザに手差しを促す確認メッセージを表示可能なタッチパネルなどが設けられていて、本発明の報知部としても機能する。
【００２０】
制御部２８は、図示しないＣＰＵやメモリやＨＤＤを備えており、印刷実行部２１を含む画像形成装置２０全体の動作および製本処理部３全体の動作を制御する。
【００２１】
製本処理部３は、用紙搬送路３１と、スタックトレイ部３２と、クランプ部３３と、糊付部３４と、成形部３５と、背折りプレート３６と、付き当てプレート３７と、排出部３８と、スタックトレイ開口部３９と、開閉扉４０とを備えている。
【００２２】
用紙搬送路３１は、印刷処理部２の連絡搬送路２５から送り出された表紙用紙ＦＰおよび本文ページ用紙ＨＰを搬送するもので、本文ページ用紙ＨＰをスタックトレイ部３２に搬送するとともに、表紙用紙ＦＰを成形部３５に搬送する。なお、用紙搬送路３１上には、スタックトレイ部３２へ向かう搬送路と成形部３５へ向かう搬送路とを切り替える機構（図示省略）が設けられている。
【００２３】
スタックトレイ部３２は、用紙搬送路３１によって搬送された本文ページ用紙ＨＰを順次積載する。
【００２４】
クランプ部３３は、スタックトレイ部３２から本文ページ用紙ＨＰの用紙束ＴＰを挟持するもので、スタックトレイ部３２から用紙束ＴＰを受け取る用紙束受取位置と、成形部３５へ用紙束ＴＰを受け渡す綴じ位置との間を移動機構（図示せず。）によって移動可能に構成されている。
【００２５】
糊付部３４は、クランプ部３３の近傍に設けられており、用紙束ＴＰと表紙用紙ＦＰとを糊等により接着する。
【００２６】
成形部３５は、用紙搬送路３１によって搬送された表紙用紙ＦＰが上面に設置される背折りプレート３６や、背折りプレート３６の下方に設けられ、クランプ部３３によって綴じ位置まで搬送された用紙束ＴＰの背部が表紙用紙ＦＰを介して当接される付き当てプレート３７等を備えており、本文ページ用紙ＨＰの用紙束ＴＰに表紙用紙ＦＰを綴じて成形し、くるみ製本された製本印刷物ＢＰを落下させて排出部３８へ送る。
【００２７】
スタックトレイ開口部３９は、スタックトレイ部３２の上方に設けられた開口部であり、ユーザがカタログ等の他の印刷装置で印刷された印刷物やＣＤ、ＤＶＤ、フィルムサンプル等の印刷物以外の記録媒体を手差しでスタックトレイ部３２へ載置するために設けられており、記録媒体を手差しでスタックトレイ部３２へ載置しない場合には、開閉扉４０によって閉めることができる。なお、開閉扉４０は省略しても良い。
【００２８】
図２は、本発明に係る実施例の印刷装置１において端末装置１０が送信して印刷処理部２で受信される印刷ジョブのデータ構造の一例を示す図である。
【００２９】
本発明に係る実施例の印刷装置１では、端末装置１０から送信された印刷ジョブに基づいて印刷処理部２が印刷を行い、その印刷物を製本処理部３で製本するが、図２に示す印刷ジョブＤは、後述する図５に示すように印刷処理部２が印刷した本文ページ用紙ＨＰの印刷物の途中に、カタログ等の別の装置で印刷された印刷物やＣＤ、ＤＶＤ、フィルムサンプル等の記録媒体ＲＭを挿入させて製本処理部３にて製本する処理を指示する印刷ジョブである。
【００３０】
すなわち、この印刷ジョブＤは、ヘッダ部Ｄ１と、ペイロード部Ｄ２とを有しており、ヘッダ部Ｄ１には、周知のヘッダ情報Ｄ１１と、この印刷ジョブＤに基づいて印刷実行部２１が印刷した印刷物の途中に、カタログ等の別の装置で印刷された印刷物やＣＤ、ＤＶＤ、フィルムサンプル等の記録媒体ＲＭを挿入させて製本処理部３で製本させる手差し挿入指令Ｄ１２と、印刷実行部２１が印刷した印刷物における記録媒体ＲＭの挿入位置を示す挿入位置情報Ｄ１３を有している。
【００３１】
挿入位置情報Ｄ１３は、例えば、この印刷ジョブＤで印刷する印刷物において記録媒体ＲＭに切り替える際の最終ページを指定する情報（例えば、２８０ページ）や、その最終ページの用紙の厚さ（例えば、０．１ｍｍ）等によって記録媒体ＲＭの挿入位置を指示する。
【００３２】
次に、以上のように構成された印刷装置１の動作を、フローチャートを参照して説明する。
【００３３】
図３は、本発明に係る実施例の印刷装置１を構成する印刷処理部２および製本処理部３における動作を示すフローチャートである。
【００３４】
図３に示すように、印刷処理部２が端末装置１０から図２に示すデータ構造の印刷ジョブＤを受信すると（ステップＳ１１０“ＹＥＳ”）、受信した印刷ジョブＤを解析し（ステップＳ１３０）、その印刷ジョブＤのヘッダ部Ｄ１に手差し挿入指令Ｄ１２が含まれているか否かを判定する（ステップＳ１５０）。
【００３５】
ステップＳ１５０において、ヘッダ部Ｄ１に手差し挿入指令Ｄ１２が含まれていない場合（“ＮＯ”）、その印刷ジョブＤは通常の印刷および製本処理の印刷ジョブであるため、制御部２８は、その印刷ジョブＤのペイロード部Ｄ２に格納された印刷データＤ２１に基づいて印刷実行部２１に印刷させる（ステップＳ１７０）。そして全ページ印刷が完了すると（ステップＳ１９０）、製本処理部３のクランプ部３３や糊付部３４、成形部３５等において、製本処理を実行させて（ステップＳ２１０）、印刷処理および製本処理を終了する。
【００３６】
一方、ステップＳ１５０において、印刷ジョブＤのヘッダ部Ｄ１に手差し挿入指令Ｄ１２が含まれている場合（“ＹＥＳ”）、制御部２８は、挿入位置情報Ｄ１３を取得し（ステップＳ２３０）、その印刷ジョブＤのペイロード部Ｄ２に格納された印刷データＤ２１に基づいて印刷実行部２１に印刷させる（ステップＳ２５０）。
【００３７】
そして、挿入位置情報Ｄ１３が示す位置まで印刷実行部２１が用紙を印刷した際に（ステップＳ２７０“ＹＥＳ”）、制御部２８は、印刷実行部２１に印刷を一時停止させ（ステップＳ２９０）、図４に示すようなユーザに記録媒体ＲＭの手差しを促す確認メッセージを操作パネル２７に表示する（ステップＳ３１０）。
【００３８】
図４は、操作パネル２７に表示されるユーザに記録媒体ＲＭの手差しを促す確認メッセージ２７１の一例を示す図である。
【００３９】
制御部２８は、図３のステップＳ２９０において印刷実行部２１に印刷を一時停止させた後、例えば、図４に示すように、“カタログ等の別の装置で印刷された印刷物やＣＤ、ＤＶＤ等の記録媒体をスタックトレイ部に手差しで追加してください。追加し終えたら、「続行ボタン」を押してください。印刷を中止する場合は、「中止」ボタンを押してください。”等のユーザに他の印刷物である記録媒体ＲＭの手差しを促す確認メッセージ２７１を操作パネル２７に表示して、ユーザに対し記録媒体ＲＭを手差しすることを報知する。なお、図４において、２７１ａが続行ボタン、２７１ｂが中止ボタンである。
【００４０】
これにより、ユーザは、操作パネル２７に表示された確認メッセージ２７１を参照することによってスタックトレイ部３２に対しカタログ等の別の装置で印刷された印刷物やＣＤ、ＤＶＤ、フィルムサンプル等の記録媒体ＲＭを追加するタイミングが到来したことを確認し、スタックトレイ開口部３９の開閉扉４０を開けてスタックトレイ部３２に既に載置された印刷実行部２１が印刷した印刷物の上に記録媒体ＲＭを追加することができる。
【００４１】
その後、制御部２８は、操作パネル２７に表示させた確認メッセージ２７１で続行ボタン２７１ａが選択されるか、中止ボタン２７１ｂが選択されるかを判定し（ステップＳ３３０）、続行ボタン２７１ａが選択された場合（ステップＳ３３０“ＹＥＳ”）、ユーザによってスタックトレイ部３２に記録媒体ＲＭが載置されたことを示しているので、印刷実行部２１に対し印刷を再開させる（ステップＳ３５０）。
【００４２】
そして印刷ジョブＤに基づいて全ページの印刷が完了すると（ステップＳ１９０“ＹＥＳ”）、制御部２８は、スタックトレイ部３２に載置された印刷実行部２１が印刷した印刷物と、その印刷物の途中で挿入された記録媒体ＲＭとを、製本処理部３のクランプ部３３や糊付部３４、成形部３５等により製本処理を実行させ（ステップＳ２１０）、くるみ製本された製本印刷物ＢＰを排出部３８へ送って終了する。
【００４３】
一方、ステップＳ３３０において、操作パネル２７に表示させた確認メッセージ２７１で中止ボタン２７１ｂが選択された場合（“ＮＯ”）、制御部２８は、印刷実行部２１に対し印刷を中止させ（ステップＳ３７０）、今までスタックトレイ部３２に載置された印刷物を製本処理部３で製本処理させて（ステップＳ２１０）、印刷処置および製本処理を終了する。なお、中止ボタン２７１ｂが選択された場合、製本処理部３で製本処理も中止して、印刷処理および製本処理を終了するようにしても良い。
【００４４】
図５は、本発明に係る実施例の印刷装置１によって生成した製本印刷物ＢＰの一例を示す図である。
【００４５】
製本処理部３の排出部３８へ排出されたくるみ製本された製本印刷物ＢＰは、図５に示すように、表紙ＢＰ１と本文ページＢＰ２とから構成されている。
【００４６】
表紙ＢＰ１は、表紙用紙ＦＰが印刷装置１０で印刷される一方、製本処理部３で折り曲げられて表表紙、裏表紙および背表紙が形成される。
【００４７】
本文ページＢＰ２は、印刷装置１０が本文ページ用紙ＨＰを印刷したページと、図３に示すような確認メッセージ２７１によってユーザがスタックトレイ部３２に載置したカタログ等の別の装置で印刷された印刷物やＣＤ、ＤＶＤ、フィルムサンプル等の記録媒体ＲＭとが製本処理部３のクランプ部３３で挟まれ、糊付部３４で糊付けされた後、成形部３５で表紙ＢＰ１の裏面に綴じられる。
【００４８】
ここで、図５では、３枚の記録媒体ＲＭが印刷装置１０で印刷された本文ページ用紙ＨＰの途中に挿入されて綴じられている。なお、３枚の記録媒体ＲＭの挿入位置は、図２に示すように印刷ジョブＤの挿入位置情報Ｄ１３によって指定される。
【００４９】
以上のように本発明に係る実施例の印刷装置１によれば、印刷ジョブＤに手差し挿入指令Ｄ１２が含まれている場合、挿入位置情報Ｄ１３を取得して、制御部２８は印刷実行部２１に挿入位置情報がＤ１３示す挿入位置まで印刷を実行させて、その挿入位置までの印刷物をスタックトレイ部３２に一時的に保持させ、その後、その印刷物と共にくるみ製本処理するカタログやＣＤ、ＤＶＤ等の記録媒体ＲＭをスタックトレイ部３２に手差しでセットすることをユーザに促す確認メッセージ２７１を操作パネル２７に表示してユーザに報知する。
【００５０】
そのため、ユーザは操作パネル２７に表示された確認メッセージ２７１を参照することにより、スタックトレイ部３２に対し記録媒体ＲＭを追加するタイミングが到来したことを確認して、印刷実行部２１が印刷した印刷物の間にカタログ等の別の装置で印刷された印刷物やＣＤ、ＤＶＤ、フィルムサンプル等の記録媒体ＲＭを挿入して、くるみ製本等の後処理を実行することができる。
【００５１】
なお、上記実施例の説明では、後処理部として、くるみ製本処理を行う製本処理部３を一例に説明したが、本発明ではこれに限らず、後処理部はくるみ製本処理を行う製本処理部３以外の装置でも良いし、また後処理部を省略して後処理を実行しないようにすることもできる。ただし、後処理部を省略する場合には、図１に示すように後処理部である製本処理部３に設けられていたスタックトレイ部３２やスタックトレイ開口部３９、開閉扉４０は印刷処理部２側に設けられることになる。
【００５２】
また、上記実施例の説明では、手差しすることをユーザに促す確認メッセージ２７１を印刷処理部２側の操作パネル２７に表示することによりユーザに報知するように説明したが、本発明では、これに限らず、製本処理部３側の操作パネルでも、あるいは音声によりユーザに報知するようにしても良い。
【００５３】
さらに、上記の説明では、記録媒体ＲＭの手差しをユーザに促す確認メッセージ２７１に続行２７１ａと中止ボタン２７１ｂとを表示して説明したが、本発明では、これに限らず、続行２７１ａと中止ボタン２７１ｂとは省略しても良い。ただし、続行２７１ａと中止ボタン２７１ｂとを省略すると、ユーザによって記録媒体ＲＭがスタックトレイ部３２に載置されたか否かを制御部２８は検出できないので、制御部２８は操作パネル２７上の他のボタンの押下や、あるいはスタックトレイ部３２上に記録媒体ＲＭが載置されたか否かを検出するセンサ等の出力によって記録媒体ＲＭが載置されたか否かを認識するようにしても良い。
【００５４】
また、上記実施例の説明では、ブラック、シアン、マゼンダ、イエロー等の各色のインクを吐出する複数のインクヘッドを備えたライン型の印刷実行部２１について説明したが、これに限らず、シリアルインクジェット方式、レーザ方式、又は孔版印刷方式等の印刷実行部を備える構成であってもよい。
【符号の説明】
【００５５】
１…印刷装置
２…印刷処理部
３…製本処理部
１０…端末装置
２１…印刷実行部
２２…給紙トレイ
２３…ストレート給紙台
２４…循環搬送路
２５…連絡搬送路
２６…反転部
２７…操作パネル（報知部）
２８…制御部
３１…用紙搬送路
３２…スタックトレイ部
３３…クランプ部
３４…糊付部
３５…成形部
３６…背折りプレート
３７…付き当てプレート
３８…排出部
３９…スタックトレイ開口部
４０…開閉扉
【図１】
2015101081.tif 000003
【図２】
2015101081.tif 000004
【図３】
2015101081.tif 000005
【図４】
2015101081.tif 000006
【図５】
2015101081.tif 000007